(57)【特許請求の範囲】
【請求項１】
下部本体を有するケーシング１と透光性上部スクリーン２を有する自動式可搬発光装置であって、
前記本体が、
（ａ）前記本体に固定された少なくとも一つの第１の永久磁石３であって、磁性材料からなる金属プラットフォーム４の上に前記装置が置かれたとき、前記第１の永久磁石３が前記装置を前記プラットフォーム４上に保持する第１の永久磁石３と、
（ｂ）発光要素１０と、
（ｃ）バッテリ８と、
（ｄ）前記発光要素１０と前記バッテリ８の間を電気的に接続するコネクタ６であって、前記コネクタ６は、駆動状態で前記発光要素１０と前記バッテリ８を電気的に接続して前記バッテリ８から前記発光要素１０に電力を供給し、非駆動状態で前記発光要素１０と前記バッテリ８の電気的接続を遮断して前記バッテリ８から前記発光要素１０への電力の供給を遮断するように構成されているコネクタ６と、
（ｅ）スイッチ５であって、
（ｅ１）前記本体に固定された下部円筒キャビティ１３と、
（ｅ２）前記下部円筒キャビティ１３に対して上下移動するように前記下部円筒キャビティ１３上に設けられた上部円筒カップ１４と、
（ｅ３）前記上部円筒カップ１４に固定された第２の永久磁石１１と、
（ｅ４）前記下部円筒キャビティ１３と前記上部円筒カップ１４の間に設けられて前記下部円筒キャビティ１３から離れるように前記上部円筒カップ１４を上方に付勢するスプリング１５であって、前記装置が前記プラットフォーム４上に置かれていないとき、前記スプリング１５の付勢力によって前記上部円筒カップ１４は前記下部円筒キャビティ１３から離れて上昇位置をとり、前記装置が前記プラットフォーム４上に置かれたとき、前記スプリング１５の付勢力に対抗する前記第２の永久磁石１１と前記プラットフォーム４との間に形成される磁力によって前記上部円筒カップ１４は前記下部円筒キャビティ１３に向けて移動して下降位置をとるように構成されたスプリング１５を備えたスイッチ５を有し、
（ｆ）前記コネクタ６と前記上部円筒カップ１４は、前記上部円筒カップ１４が前記上昇位置から前記下降位置に移動したときに前記コネクタ６が駆動状態をなり、前記上部円筒カップ１４が前記下降位置から前記上昇位置に移動したときに前記コネクタ６が非駆動状態となるように、構成されている、自動式可搬発光装置。
【請求項２】
前記バッテリ８は充電可能なバッテリであり、
前記装置は、前記充電可能なバッテリと電気的に接続された外部コネクタ９を有し、
前記充電可能なバッテリは前記下部コネクタを介して電力が供給されて充電されるようにしてある、請求項１の自動式可搬発光装置。
【発明の詳細な説明】
【技術分野】
【０００１】
名称が示すように、本発明は発光装置であって、本来の動作に必要な全ての要素が揃えば操作のための外部手動式スイッチを必要としないという点で新規な発光装置に関する。前記スイッチに代えて内部自動式スイッチが用いられ、発光装置は十分高密度の金属の表面に置かれたときにのみ動作する。更に、電池、好ましくは蓄電池が用いられるため、外部電源接続用の電線を用いる必要はない。
【０００２】
本装置は、警察車両用の非常灯、起こりうる故障、事故及びこの種の装置の使用を要するその他の非常事態用の予備灯として考えられており、電線や手動式スイッチの使用に関するこのような装置に典型的な不便さを有しないものである。
【背景技術】
【０００３】
種々の警察部隊や公共業務一般によって可搬型発光装置が使用されていることは、技術水準として周知である。可搬型非常用発光装置の存在は、或るものでは数個のライト又は要素とジャンパー線という形状であり、他のものでは単一のライトを装備している。或るものは固定発光源を有し、回転反射シェードが付加されており、他のものはストロボ又はフラッシュが生じる閃光を用いる。しかし、全ての装置は共通の特徴を有し、それは全て外部電源に電線で接続する必要があるということであり、これに加えて、全ての事例で、操作用の手動スイッチ又は実際の接続プラグでスイッチとして機能するものを必要とすることである。
【０００４】
可搬型装置は、通常、偽装した警察車両がその存在を明示し他の運転者に認識させるために不可欠な素子を提供するように設計されている。同様に、或る種の機械、クレーン又は産業用車両は、特定の状況でこの種の装置を使用し、通常は、作業者自身に対する安全性補助として、路上にエレメント又は障害物が存在することを利用者に警告する。
【発明の開示】
【発明が解決しようとする課題】
【０００５】
警察車両の場合、可搬型発光装置は、好ましくは車両の屋根の左側に置かれ、その結果、緊急車両がその前方の運転者により明確に認識されるようにする。このような装置は電源、この場合は車のライターの筐体、に接続する必要があることから、電線が運転者の腕の前を通り、実際上その動作を妨げ、彼又は彼女が最大の注意を払うべき瞬間に運転に向けられるべき注意をそらせることになる。このような装置の他の欠点は、窪み若しくは屈曲に起因する車両の突然の揺れ又は運転者の腕が接続電線に偶然接触することにより装置が電源から切断されるということがないよう、車両の乗員が注意を払わねばならないことである。更に、電線が車室内を通過するために窓は開放状態となり、運転者と乗員間の通信及びインターコムを介する他の同僚との通信を妨げる騒音や振動を生じる。このような不都合は、車の運転者が車両を離れなければならないときに更に悪化し、接続電線が車の扉を開くという動作を常に妨げ、時には身体を傷つけ、時には装置の破壊さえ引き起こす。
【０００６】
このような装置の他の不都合は装置が車両内で占有する空間であり、車両の用途を明示し、通常大型のケーシングと普通かなり長くて巻き取りが困難な配線とからなる装置を隠すことが目的となる。
【０００７】
自動的に動作する無線の可搬型発光装置類は、知られていない。
【課題を解決するための手段】
【０００８】
本発明の対象となる装置は、現在使用されている装置に対して重要な進歩を提供し、一方では、電源への接続電線の使用とこれによる全ての問題を決定的になくし、他方では、適当な面、例えば金属面、の上に置かれたときに自動的に動作し、この面から離されたときに自動的に不動作となる自動動作スイッチにより動作する。
【０００９】
本装置は、本装置を金属基部に固定するための数個の磁石を有するケーシングからなり、補助的な吸着パッドと組み合わされていても、いなくてもよい。接続及び切断を自動的に行うスイッチは、内部の基部に設置されている。このスイッチは、ピストンのように垂直に移動し、心棒を備え、コイルばねにより内部の基部に固着される第三の磁石を含む円筒からなり、十分高密度の金属面の近傍に配置されたときに限定的な移動が可能となる。前記円筒は、その上端又は側部のいずれかに、前記金属面への吸引力で磁石が動かされたとき電気回路を閉成するのに必要な端子又は要素を備え、ケーシング内部の電源、この場合には蓄電池、から電流が流れ、発光器と反射用シェードとが組み合わされた電気的回転部又はストロボ、フラッシュのいずれかのような光源からなる負荷（la carga）を駆動する。
【００１０】
本装置は、同様に、適当な外部用コネクタを有し、内蔵電池が放電している場合の動作を保証するために、また電池が切れているときに充電するために、充電器用の予備電線を用いて対応する外部電気エネルギー源により電力供給することができる。
【００１１】
提案された装置の理解のために、複数の図面が提供されている。
【発明を実施するための最良の形態】
【００１２】
図１は、本発明の対象である自動式可搬型発光装置がケーシング（１）からどのように構成されているかを示すものであり、このケーシングには透光性のスクリーンがねじ山又はねじ（２）によって固定されている。ケーシング（１）の基部は、数個の固定用磁石（３）を外部に備え、十分高密度の金属基台上に置いたときに上記ケーシング（１）を所定位置に保持する。前記ケーシング（１）は、回転と発光を組み合わせた要素又は単純なストロボ型発光要素である負荷（１０）（la carga）は別であるが、その内部、好ましくは重心に自動作動スイッチ（５）、作動ピン（７）を有する通常のコネクタ（６）、蓄電池（８）及び外部用予備コネクタ（９）を備え、これらは全て対応する配線により接続され、負荷（１０）と装置を構成する機構の他の部分との絶縁を確実にする。
【００１３】
自動作動スイッチ（５）は、カップをひっくり返した形状でピストンとして作動する円筒状永久磁石（１１）を内部に有する円筒（１３）からなり、この永久磁石は心棒（１２）を有し、この心棒は平らな上面の重心から飛び出し、円筒（１３）の基部に形成されたくりぬき部（１７）を横断し、円筒（１３）を外部から包囲するひっくり返された円筒状カップ（１４）に結合されている。前記円筒状カップ（１４）は、通常のコネクタ（６）のピン（７）にしっかりと接続されているフランジ（１６）を有する。前記永久磁石（１１）の先端に十分な引力が働かない場合に永久磁石（１１）を持ち上げて保持するために、両円筒（１３）、（１４）の間にコイルばね（１５）が設けられる。永久磁石（１１）、心棒（１２）、くりぬき部（１７）及び円筒（１３）、（１４）の許容限界は、全部品が共に結合され、永久磁石（１１）、心棒（１２）及び円筒（１４）のユニットが自由に揺動運動をするために、十分にとられる。しかし、前記運動は、円筒（１３）外部の窪み及び円筒（１４）の内部の窪みから突出して相互にしっかりと結合される数個の止め具（１８）、（１９）の存在によって限定される。
【００１４】
したがって、本装置は、以下のように動作する。本装置がケーシング（１）を介して十分高密度の金属基台（４）に手動で結合するとき、前者は、磁石（３）によって前記表面に固定される。同様にして、永久磁石（１１）の自動運動が生じ、コイルばね（１５）の抵抗に打ち勝ち、下向きの運動で外部円筒（１４）を引き下げ、フランジが押す結果、コネクタ（６）を作動させ、電気回路を閉じ、負荷（１０）を動作させ、そして電池（８）により作動される。本装置が金属基台（４）から離されたとき、永久磁石（１１）は前記金属基台（４）の吸引力から解放され、止め具（１８）、（１９）がその上昇を制限するまで逆方向の運動がコイルばね（１５）によって生じる。垂直上昇運動の間にコネクタ（６）は切断され、電気回路を開き、負荷（１０）への電力供給を不動作とし、その結果、本装置は切断される。
【００１５】
本装置は、同様に、蓄電池（８）が負荷（１０）を動作させるに十分なエネルギーを保持しないときに蓄電池を充電するための外部用予備コネクタ（９）を備えており、本装置の動作・不動作に関わりなく、蓄電池（８）のエネルギー不足により予備電線の使用が必要となるときに充電を可能として負荷（１０）への電力供給を行うようにする。
【図面の簡単な説明】
【００１６】
【図１】本装置の断面図であり、その様々な構成部品を認識することができる。
【図２】自動動作スイッチの拡大断面図であり、その様々な構成要素を認識することができる。
【図１】
0004997236.tif 000002
【図２】
0004997236.tif 000003